(57)【要約】【課題】腕時計バンドの射出成形時にその表面と裏面に革状及び縫目状凹凸模様と肌密着緩和用凹凸模様を、効率的にかつ高い転写性で賦形できるようにする。【解決手段】第１割型１０の第１入れ子１３に電鋳により形成した革状及び縫目状反転凹凸１６が射出成形時に転写されることにより腕時計バンドの表面に革状及び縫目状凹凸模様を賦形し、第２割型２０の第２入れ子２３にエッチングにより形成した肌密着緩和用反転凹凸２５が射出成形時に転写されることにより腕時計バンドの裏面に肌密着緩和用凹凸模様を賦形する。【選択図】図１
2019058406.tif 000002
【特許請求の範囲】
【請求項１】
金型に樹脂又はエラストマーを射出して腕時計バンドを射出成形する方法において、
金型に電鋳により形成した革状及び縫目状反転凹凸が射出成形時に転写されることにより腕時計バンドの表面に革状及び縫目状凹凸模様を賦形し、
金型にエッチングにより形成した肌密着緩和用反転凹凸が射出成形時に転写されることにより腕時計バンドの裏面に肌密着緩和用凹凸模様を賦形することを特徴とする腕時計バンドの成形方法。
【請求項２】
腕時計バンドを樹脂又はエラストマーで射出成形するための第１割型と第２割型とを備えた腕時計バンド用金型において、
第１割型は、腕時計バンドの表面に革状及び縫目状凹凸模様を転写賦形するための革状及び縫目状反転凹凸を有する第１入れ子を備え、
第２割型は、腕時計バンドの裏面に肌密着緩和用凹凸模様を転写賦形するための肌密着緩和用反転凹凸を有する第２入れ子を備えることを特徴とする腕時計バンド用金型。
【請求項３】
第１入れ子は、革状及び縫目状反転凹凸を有するニッケル板と、ニッケル板の背面に重ね合わされて接合された鋼板との組み合わせである請求項１記載の腕時計バンド用金型。
【請求項４】
第１割型はキャビティ型であり、第２割型はコア型である請求項２又は３記載の腕時計バンド用金型。
【請求項５】
革状及び縫目状反転凹凸は電鋳により形成したものであり、肌密着緩和用反転凹凸はエッチングにより形成したものである請求項２〜４のいずれか一項に記載の腕時計バンド用金型。
【請求項６】
請求項２〜５のいずれか一項に記載の腕時計バンド用金型に樹脂又はエラストマーを射出して腕時計バンドを成形することを特徴とする腕時計バンドの成形方法。
【請求項７】
腕時計バンドを樹脂又はエラストマーで射出成形するための第１割型と第２割型とを備えた腕時計バンド用金型の製造方法において、
腕時計バンドの表面に革状及び縫目状凹凸模様を転写賦形するための革状及び縫目状反転凹凸を電鋳により形成した第１入れ子を作製し、該第１入れ子を第１割型に取り付け、
腕時計バンドの裏面に肌密着緩和用凹凸模様を転写賦形するための肌密着緩和用反転凹凸をエッチングにより形成した第２入れ子を作製し、該第２入れ子を第２割型に取り付けることを特徴とする腕時計バンド用金型の製造方法。
【発明の詳細な説明】
【技術分野】
【０００１】
本発明は、腕時計バンドの成形方法並びに金型及びその製造方法に関するものである。
【背景技術】
【０００２】
樹脂製の腕時計バンドの多くは、金型に樹脂を射出して成形されており、安価に製造することができる。しかし、腕時計バンドの表面が無模様では、面白味に欠ける。そこで、樹脂製の腕時計バンドの表面に装飾を施すことが多い。
【０００３】
特許文献１には、樹脂シートの片面に図柄、文字等の装飾をホットスタンプ、印刷等により施してバンド表面層を作り、このバンド表面層を固定金型にセットし、この固定金型に可動金型を型締めし、両金型間のキャビティに溶融した軟質合成樹脂を射出して、透明樹脂シートの裏側に軟質合成樹脂のバンド主体が接合されてなる腕時計バンドを得る方法が記載されている。
【０００４】
特許文献２には、上記特許文献１の方法で樹脂シートの裏面に装飾を施す場合にその装飾が合成樹脂の熱で溶けることに鑑み、樹脂シートの裏側にもう１枚の樹脂シートを接着して重合することが記載されている。
【０００５】
特許文献３には、上記特許文献１の方法で樹脂シートの表面に装飾を施す場合にその装飾が耐摩耗製に欠けることに鑑み、樹脂シートの表面に装飾を覆うように透明保護塗膜を設けることが記載されている。
【０００６】
特許文献４には、多種類の腕時計バンドを安価に製造するために、合成樹脂製の１種類の複数個の基本体を射出成形により製造した後、該基本体にそれぞれ所望の凹凸模様を有する複数種類の押し型を用いて複数種類の凹凸模様体を作り、これら複数種類の凹凸模様体にさらに印刷や塗装により所望の色を着色して、複数種類の着色凹凸模様体を作ることが記載されている。
【先行技術文献】
【特許文献】
【０００７】
【特許文献１】特開昭６２−６０５１０号公報
【特許文献２】特開平６−３１２４３４号公報
【特許文献３】特開平７−８３０８号公報
【特許文献４】特開２００１−１１２５１７号公報
【発明の概要】
【発明が解決しようとする課題】
【０００８】
特許文献１〜３の方法は、射出成形の前に、樹脂シートに装飾を施す工程と、金型に樹脂シートをセットする工程が必要である点で、効率的ではない。また、樹脂シートを要する分、コストが上昇する。また、樹脂シートに、装飾として高級感のある革模様等の凹凸模様を施すことは困難である。
【０００９】
特許文献４の方法は、革模様等の凹凸模様を施すことができる。しかし、射出成形の後に、反転凹凸を有する押し型を加熱して基本体に押し付けて、凹凸模様を賦形する工程が必要である点で、効率的ではない。また、押し型を基本体に押し付ける方法では、反転凹凸から凹凸模様への転写性があまり良くないため、本物の複雑な革模様等を忠実に賦形することができず、高級感はもう一つであった。
【００１０】
また、いずれの方法も、腕時計バンドの裏面については配慮がない。腕時計バンドの裏面が平滑面だと、腕に装着したときに肌に全面的に密着して、汗や皮脂で貼り付き、装着感が悪化する。
【００１１】
そこで、本発明の目的は、腕時計バンドの射出成形時にその表面と裏面に革状及び縫目状凹凸模様と肌密着緩和用凹凸模様を、効率的にかつ高い転写性で賦形することができる方法及び金型を提供することにある。
【課題を解決するための手段】
【００１２】
（１）金型に樹脂又はエラストマーを射出して腕時計バンドを射出成形する方法において、
金型に電鋳により形成した革状及び縫目状反転凹凸が射出成形時に転写されることにより腕時計バンドの表面に革状及び縫目状凹凸模様を賦形し、
金型にエッチングにより形成した肌密着緩和用反転凹凸が射出成形時に転写されることにより腕時計バンドの裏面に肌密着緩和用凹凸模様を賦形することを特徴とする腕時計バンドの成形方法。
【００１３】
（２）腕時計バンドを樹脂又はエラストマーで射出成形するための第１割型と第２割型とを備えた腕時計バンド用金型において、
第１割型は、腕時計バンドの表面に革状及び縫目状凹凸模様を転写賦形するための革状及び縫目状反転凹凸を有する第１入れ子を備え、
第２割型は、腕時計バンドの裏面に肌密着緩和用凹凸模様を転写賦形するための肌密着緩和用反転凹凸を有する第２入れ子を備えることを特徴とする腕時計バンド用金型。
【００１４】
ここで、第１入れ子は、革状及び縫目状反転凹凸を有するニッケル板と、ニッケル板の背面に重ね合わされて接合された鋼板との組み合わせであることが好ましい。ニッケル板は電鋳により形成するのに適しており、鋼板は高剛性による補強性と低廉性に優れるからである。
【００１５】
また、第１割型はキャビティ型であり、第２割型はコア型（実質的に凸部のない略平坦な型も含む。）である態様を例示できる。
【００１６】
革状及び縫目状反転凹凸は電鋳により形成したものであり、肌密着緩和用反転凹凸はエッチングにより形成したものであることが好ましい。電鋳は、原型の複雑な革状凹凸模様及び縫目状凹凸模様の転写性に優れ、精度の高い革状及び縫目状反転凹凸を形成できるからである。また、エッチングは、短時間で肌密着緩和用反転凹凸を形成することができるからである。
【００１７】
上記の腕時計バンド用金型に樹脂又はエラストマーを射出して腕時計バンドを成形することができる。
【００１８】
（３）腕時計バンドを樹脂又はエラストマーで射出成形するための第１割型と第２割型とを備えた腕時計バンド用金型の製造方法において、
腕時計バンドの表面に革状及び縫目状凹凸模様を転写賦形するための革状及び縫目状反転凹凸を電鋳により形成した第１入れ子を作製し、該第１入れ子を第１割型に取り付け、
腕時計バンドの裏面に肌密着緩和用凹凸模様を転写賦形するための肌密着緩和用反転凹凸をエッチングにより形成した第２入れ子を作製し、該第２入れ子を第２割型に取り付けることを特徴とする腕時計バンド用金型の製造方法。
【発明の効果】
【００１９】
本発明によれば、腕時計バンドの射出成形時にその表面と裏面に革状及び縫目状凹凸模様と肌密着緩和用凹凸模様を、効率的にかつ高い転写性で賦形することができる。
【図面の簡単な説明】
【００２０】
【図１】図１は実施例の腕時計バンド用金型を示し、（ａ）は第１割型の正面図、（ｂ）は第２割型の正面図である。
【図２】図２は腕時計バンド用金型による射出成形を示し、（ａ）は型閉じして射出したときの断面図、（ｂ）は型開きして脱型したときの断面図である。
【図３】図３は射出成形した腕時計バンドを示し、（ａ）は表面側の斜視図、（ｂ）は裏面側の斜視図である。
【図４】図４は表面の革状及び縫目状凹凸模様の別例を示す部分斜視図である。
【図５】図５は裏面の肌密着緩和用凹凸模様の別例を示す部分斜視図である。
【発明を実施するための形態】
【００２１】
１．革状及び縫目状凹凸模様
革状及び縫目状凹凸模様は、革状凹凸模様と縫目状凹凸模様の両方を含むものであり、革状模様のみ又は縫目状凹凸模様のみの場合と比べて、高級感に富んだ腕時計バンドとすることができる。
革状凹凸模様としては、特に限定されないが、ほ乳類（牛、豚、馬、鹿、山羊、羊等）、は虫類（ワニ、トカゲ、ヘビ、カメ等）、鳥類（ダチョウ等）等の革状凹凸模様を例示できる。
縫目状凹凸模様としては、特に限定されないが、平縫い、かがり縫い、クロス・ステッチ、チェイン・ステッチ等の縫目状凹凸模様を例示できる。
【００２２】
２．肌密着緩和用凹凸模様
肌密着緩和用凹凸模様は、腕時計バンドを腕に装着したときに腕時計バンドの裏面が肌に全面的に密着するのを緩和して、汗や皮脂で貼り付くのを防止し、装着感を向上させる。
肌密着緩和用凹凸模様としては、特に限定されないが、単位模様の複数繰り返し配列を例示できる。単位模様としては、特に限定されないが、円形、多角形、線形等の凸模様又は凹模様を例示できる。
【実施例】
【００２３】
以下、本発明を具体化した実施例について図面を参照して説明する。なお、実施例で記す材料、構成、数値は例示であって、適宜変更できる。
【００２４】
まず、本実施例において樹脂又はエラストマーで射出成形された腕時計バンド１（図３）について説明しておく。
腕時計バンド１の表面には、図３（ａ）に示すように、革状及び縫目状凹凸模様２が射出成形時に金型から転写賦形されており、図示例の革状及び縫目状凹凸模様２は、ダチョウ革の革状凹凸模様２ａと、平縫いの縫目状凹凸模様２ｂとの組み合わせである。ダチョウ革の革状凹凸模様２ａは、丸い突起模様（本物のダチョウ革では羽毛を抜いた跡にできる。）と細い溝模様とを含む独特のものである。
【００２５】
腕時計バンド１の裏面には、図３（ｂ）に示すように、肌密着緩和用凹凸模様３が射出成形時に金型から転写賦形されており、図示例の肌密着緩和用凹凸模様３は単位円形凸模様の複数繰り返し配列である。
【００２６】
さて、図１及び図２に示す腕時計バンド用金型は、腕時計バンドを樹脂又はエラストマーで射出成形するための第１割型１０と第２割型２０とを備えたものである。第１割型はキャビティ型であって可動型であり、第２割型はコア型（但し、実質的に凸部のない略平坦な型）であって固定型である。
【００２７】
第１割型１０は、第１基体１１と、第１基体１１に加工されたポケット１２に嵌入されネジで固定された第１入れ子１３とを含む。
【００２８】
第１入れ子１３は、ニッケル板１４と、ニッケル板１４の背面に重ね合わされてネジで接合された鋼板１７との組み合わせである。ニッケル板１４は、後述する略平坦状成形面２４と共に腕時計バンド形状のキャビティを形成する凹状成形面１５と、凹状成形面１５に形成された、腕時計バンドの表面に前記革状及び縫目状凹凸模様２を転写賦形するための革状及び縫目状反転凹凸１６とを有する。革状及び縫目状反転凹凸１６は電鋳により形成したものである。図示例の革状及び縫目状反転凹凸１６は、前記革状凹凸模様２ａの凹凸関係が反転した革状反転凹凸１６ａと、前記縫目状凹凸模様２ｂの凹凸関係が反転した縫目状反転凹凸１６ｂとの組み合わせである。革状反転凹凸１６ａは、前記丸い突起模様の凹凸関係が反転した凹みと、前記細い溝模様の凹凸関係が反転した突条とを含む。
【００２９】
第２割型２０は、第２基体２１と、第２基体２１に加工されたポケット２２に嵌入されネジで固定された第２入れ子２３とを含む。第２基体２１ないし第２入れ子２３には、樹脂又はエラストマーをキャビティに射出するためのスプルー２６、ランナー２７及びゲート２８が形成されている。
【００３０】
第２入れ子２３は、前述の凹状成形面１５と共にキャビティを形成する略平坦状成形面２４と、略平坦状成形面２４に形成された、腕時計バンドの裏面に前記肌密着緩和用凹凸模様３を転写賦形するための肌密着緩和用反転凹凸２５とを有する。肌密着緩和用反転凹凸２５はエッチングにより形成したものである。図示例の肌密着緩和用反転凹凸２５は、前記単位円形凸模様の凹凸関係が反転した単位円形凹部の複数繰り返し配列である。
【００３１】
この腕時計バンド用金型は、次の方法で製造された。
１．第１割型１０
（１）表面に革状及び縫目状凹凸模様としての本物のダチョウの革を貼り付けた、腕時計バンドと同一形状の原型を作製する。この原型の裏面を平らな見切り台に貼り付ける。原型と見切り台とを一体形成してもよい。この見切り台付き原型にシリコンゴム等の付着性の低い雌型材料の流動材を被せて該流動材を固化させ、原型の革模様を反転して取った雌型を作製する。この雌型にエポキシ樹脂等のマンドレル材料の流動材を注入して該流動材を固化させ、雌型の反転模様をさらに反転して取った固化物を形成する。この固化物の表面に導電被膜を形成してマンドレルを作製する。なお、上記の見切り台付き原型にの表面に直接、導電被膜を形成してマンドレルを作製することもできる。
【００３２】
（２）マンドレルを電鋳液（ニッケル化合物の電解液）に浸けて導電被膜上にニッケル電鋳を行うことにより、ニッケル板１４を形成する。この電鋳により、マンドレルを反転して取った凹状成形面１５と革状及び縫目状反転凹凸１６が形成される。
（３）ニッケル板１４に鋼板１７をネジで接合して第１入れ子１３を作製する。
（４）ポケット１２を加工した第１基体１１を作製する。
（５）第１入れ子１３をポケット１２に嵌入して第１基体１１にネジで固定する。
【００３３】
２．第２割型２０
（１）鋼板１７の略平坦状成形面２４となるべき箇所に、肌密着緩和用反転凹凸２５をエッチングにより形成して、第２入れ子２３を作製する。エッチングは、例えば、フィルムマスクを使用したフォトエッチングで行うことができる。
（２）ポケット２２を加工した第２基体２１を作製する。
（３）第２入れ子２３をポケット２２に嵌入して第２基体２１にネジで固定する。
【００３４】
この腕時計バンド用金型を用いて、次の方法で腕時計バンドが成形された。
図２（ａ）に示すように、第１割型１０に第２割型２０を型閉じし、スプルー２６よりキャビティに樹脂又はエラストマーを射出して腕時計バンド１を射出成形する。この射出成形時に、第１入れ子１３に電鋳により形成した革状及び縫目状反転凹凸１６が転写されることにより腕時計バンド１の表面に革状及び縫目状凹凸模様が賦形され、第２入れ子２３にエッチングにより形成した肌密着緩和用反転凹凸２５が転写されることにより腕時計バンド１の裏面に肌密着緩和用凹凸模様が賦形される。
【００３５】
腕時計バンド用金型を一定温度以下に冷却した後、図２（ｂ）に示すように、第１割型１０から第２割型２０を型開きして、腕時計バンド１を脱型する。
【００３６】
この実施例により、次の作用効果が得られる。
（ア）電鋳は、原型の複雑な革状凹凸模様及び縫目状凹凸模様の転写性に優れ、精度の高い革状及び縫目状反転凹凸１６を形成することができる。また、エッチングは、短時間で肌密着緩和用反転凹凸２５を形成することができる。
【００３７】
（イ）腕時計バンド１の射出成形時に、その表面と裏面に革状及び縫目状凹凸模様２と肌密着緩和用凹凸模様３を、効率的にかつ高い転写性で賦形することができる。従来例のように模様賦形のための他工程を要しない。
【００３８】
（ウ）革状及び縫目状凹凸模様２は、革状凹凸模様２ａと縫目状凹凸模様２ｂの両方を含むものであり、革状模様のみ又は縫目状凹凸模様のみの場合と比べて、高級感に富んだ腕時計バンドとすることができる。上記のとおり原型からの転写性が高い革状及び縫目状反転凹凸１６によって腕時計バンドに高い転写性で賦形された革状及び縫目状凹凸模様２は、非常にリアルである。
【００３９】
（エ）肌密着緩和用凹凸模様３は、腕時計バンド１を腕に装着したときに腕時計バンド１の裏面が肌に全面的に密着するのを緩和して、汗や皮脂で貼り付くのを防止し、装着感を向上させる。
【００４０】
（オ）腕時計バンド１は、樹脂又はエラストマーよりなり、防水性、耐久性、低アレルギー性等の特徴を有する。
【００４１】
なお、本発明は前記実施例に限定されるものではなく、発明の趣旨から逸脱しない範囲で適宜変更して具体化することができる。
（１）革状凹凸模様２ａは、前述のとおり特に限定されず、種々の模様を採用できる。例えば図４の（ａ）はヘビ革、（ｂ）は牛革、（ｃ）はトカゲ革の例である。
【００４２】
（２）肌密着緩和用凹凸模様３は、前述のとおり特に限定されず、種々の模様を採用できる。例えば図５の（ａ）は単位四角凸模様の複数繰り返し配列、（ｂ）は単位糸織目模様の複数繰り返し配列、（ｃ）は単位線形凸模様の複数繰り返し配列、（ｄ）は蛇行線形凸模様の例である。
【符号の説明】
【００４３】
１    腕時計バンド
２    縫目状凹凸模様
２ａ  革状凹凸模様
２ｂ  縫目状凹凸模様
３    肌密着緩和用凹凸模様
１０    第１割型
１１    第１基体
１２    ポケット
１３    第１入れ子
１４    ニッケル板
１５    凹状成形面
１６    革状及び縫目状反転凹凸
１６ａ  革状反転凹凸
１６ｂ  縫目状反転凹凸
１７    鋼板
２０    第２割型
２１    第２基体
２２    ポケット
２３    第２入れ子
２４    略平坦状成形面
２５    肌密着緩和用反転凹凸
２６    スプルー
２７    ランナー
２８    ゲート
【図１】
2019058406.tif 000003
【図２】
2019058406.tif 000004
【図３】
2019058406.tif 000005
【図４】
2019058406.tif 000006
【図５】
2019058406.tif 000007